(57)【要約】  タービン部品（１０，１２）の欠陥を検出するために、フェーズドアレイ検査ヘッド（１８）によってタービン部品（１０，１２）の被検査面領域に少なくとも１つの超音波信号を送信および受信するタービン部品の欠陥検出方法において、本発明によれば、フェーズドアレイ検査ヘッド（１８）が複数の仮想検査ヘッド（２０，２２，２４）に区分され、少なくとも２つの仮想検査ヘッド（２０，２２，２４）を用いて個々の被検査面領域に向けて少なくとも１つの超音波信号が送信および受信される。
2008528982.tif 000002
【特許請求の範囲】
【請求項１】
タービン部品（１０，１２）の欠陥を検出するために、フェーズドアレイ検査ヘッド（１８）によってタービン部品（１０，１２）の被検査面領域に少なくとも１つの超音波信号を送信および受信するタービン部品の欠陥検出方法において、
フェーズドアレイ検査ヘッド（１８）を複数の仮想検査ヘッド（２０，２２，２４）に区分し、
少なくとも２つの仮想検査ヘッド（２０，２２，２４）を用いて個々の被検査面領域に向けて少なくとも１つの超音波信号を送信および受信する
ことを特徴とするタービン部品の欠陥検出方法。
【請求項２】
各仮想検査ヘッド（２０，２２，２４）を用いて個々の被検査面領域に向けて複数回超音波を照射することを特徴とする請求項１記載の方法。
【請求項３】
個々の被検査面領域での少なくとも２つの仮想検査ヘッド（２０，２２，２４）の測定結果を組合せることによって、タービン部品（１０，１２）の欠陥の位置および／または形状を評価することを特徴とする請求項１または２記載の方法。
【請求項４】
個々の被検査面領域での少なくとも２つの仮想検査ヘッド（２０，２２，２４）の測定結果を比較することによって、タービン部品（１０，１２）の欠陥の方位を求めることを特徴とする請求項１乃至３の１つに記載の方法。
【請求項５】
タービン部品（１０，１２）の欠陥を検出するために、タービン部品（１０，１２）の被検査面領域に少なくとも１つの超音波信号を送信および受信するフェーズドアレイ検査ヘッド（１８）を備えた測定および評価装置（１６）において、フェーズドアレイ検査ヘッド（１８）が複数の仮想検査ヘッド（２０，２２，２４）に区分され、少なくとも２つの仮想検査ヘッド（２０，２２，２４）を用いてそれぞれ少なくとも１つの超音波信号を個々の被検査面領域に向けて送信および受信可能にする制御装置が設けられていることを特徴とするタービン部品の欠陥を検出するための測定および評価装置。
【請求項６】
制御装置が、個々の被検査面領域に複数回の超音波照射を向けるように調整されていることを特徴とする請求項５記載の測定および評価装置。
【請求項７】
制御装置が、個々の被検査面領域での少なくとも２つの仮想検査ヘッド（２０，２２，２４）の測定結果を組合せることによってタービン部品（１０，１２）の欠陥の位置および／または形状を評価するように構成されていることを特徴とする請求項５または６記載の測定および評価装置。
【請求項８】
制御装置が、個々の被検査面領域での少なくとも２つの仮想検査ヘッド（２０，２２，２４）の測定結果を比較することによってタービン部品（１０，１２）の欠陥の方位を求めるように構成されていることを特徴とする請求項５乃至７の１つに記載の測定および評価装置。
【請求項９】
フェーズドアレイ検査ヘッド（１８）が直線振動子を有することを特徴とする請求項５乃至８の１つに記載の測定および評価装置。
【請求項１０】
制御装置が、画像化法において少なくとも２つの仮想検査ヘッド（２０，２２，２４）の測定結果の二次元表示を行うように構成されていることを特徴とする請求項５乃至９の１つに記載の測定および評価装置。
【発明の詳細な説明】
【技術分野】
【０００１】
本発明は、タービン部品の欠陥を検出するために、フェーズドアレイ検査ヘッドによって部品の被検査面領域に少なくとも１つの超音波信号を送信および受信するタービン部品の欠陥検出方法に関する。本発明はさらに、タービン部品の欠陥を検出するために、部品の被検査面領域に少なくとも１つの超音波信号を送信および受信するためのフェーズドアレイ検査ヘッドを備えた測定および評価装置に関する。
【０００２】
例えばタービン翼等のタービン部品の欠陥を検出するのに超音波検査を実施することは基本的に知られている。しかしこのような検査はこのような部品において存在するジオメトリのゆえにごく限定的にのみ可能であり、比較的誤りを孕んでもいる。
【０００３】
例えば現在、タービン翼根元部の固定穴の相応の試験は翼の分解後にのみ可能である。
【０００４】
フェーズドアレイ技術（Phased Array Technique）を利用することによって、被検査面領域で欠陥は検査ヘッドの操作なしに画像化表示によって表示することができる。これは既に１つの改良である。というのも、時間を要し、それゆえに費用のかかるタービン翼の分解および組付けを特に省くことができるからである。つまり放射される超音波の方向、もしくは超音波を受波することのできる方向は、フェーズドアレイ技術によって変更することができる。
【０００５】
例えば、タービン翼根元部の欠陥予想領域において確実かつ迅速な分析を実行することがフェーズドアレイ技術によって可能である。高い機械負荷、熱負荷または腐食負荷によって疲労亀裂もしくは疲労クラックとして発生する亀裂は特に検知することができる。
【０００６】
そこで、本発明によれば、このフェーズドアレイ技術は、フェーズドアレイ検査ヘッドが複数の仮想検査ヘッドに区分され、次に、少なくとも２つの仮想検査ヘッドを用いて個々の被検査面領域に向けて少なくとも１つの超音波信号が送信されるように改良される。被検査面領域からのエコー信号は本発明により用いられる少なくとも２つの仮想検査ヘッドによって受信される。その際有利にはパルスエコー法で処理される。というのも、この技術でもって欠陥は基本的に特に厳密に検出できるからである。
【０００７】
このため本発明に係る測定および評価装置は複数の仮想検査ヘッドに区分されるフェーズドアレイ検査ヘッドを備え、少なくとも２つの仮想検査ヘッドを用いて個々の被検査面領域に向けてそれぞれ少なくとも１つの超音波信号を送信および受信可能にする制御装置が設けられている。
【０００８】
複数の仮想検査ヘッドを用いて超音波信号を送信および受信することによって、被検査面領域はいわば複数の目視方向から観察される。試験結果も相応に一層厳密となり、誤りを孕むことが少ない。
【０００９】
特に有利には、本発明に係るフェーズドアレイ検査ヘッドは、特にそれぞれ約２４個の素子を備えた３つの仮想検査ヘッドに区分されている。このため例えば合計６４個の素子を備えた１つの検査ヘッドから出発することができ、この検査ヘッドは回路技術的に個別に制御可能な３つの検査ヘッドに区分されている。
【００１０】
各仮想検査ヘッドは有利には例えば、付属する超音波装置のプログラミングによって、被検査面領域に複数の超音波照射（ショット）を送出できるように制御される。好ましくは例えば２００回のこのような超音波照射が各仮想検査ヘッドから送出され、相応にそれらのエコー信号が受信される。超音波照射の送出は、有利には、超音波照射もしくは送出された超音波信号が被検査面領域にわたって向きを変えもしくは振動するように行われる。このためフェーズドアレイ検査ヘッドは好ましくは、できるだけ多数の素子および／または交換可能な楔を備えた直線振動子として構成することができる。
【００１１】
タービン部品の可能な欠陥の位置および／または形状は、本発明によれば、有利には、個々の被検査面領域での少なくとも２つの仮想検査ヘッドの測定結果を組合せることによって、または基準測定結果と比較することによって評価することができる。特に面の広がりもしくは欠陥寸法は特に正確に求めることができる。なぜならば一般に検査ヘッドの少なくとも１つは検出すべき欠陥の輪郭を明確に検出したからである。
【００１２】
さらに本発明により、特にタービン部品の欠陥の方位は、個々の被検査面領域での少なくとも２つの仮想検査ヘッドの測定結果を比較することによって、または基準測定結果に対して相対的に比較することによって求めることができる。被検査部品の亀裂の特に方位をこのように推定し認識することは、一般に本発明に係る"向きを変えて照射された超音波"の１つが亀裂内に放射され、他の複数の"向きを変えて照射された超音波"が場合によっては亀裂の向きを実質的に横切って亀裂に左右から照射される事情に基づいている。
【００１３】
本発明により求められた検査結果の判定をできるだけ現実に即して、相応の評価装置または評価員によって特に容易に実施するために、本発明に係る測定および評価装置が、画像化法において少なくとも２つの仮想検査ヘッドの測定結果の二次元表示を行うように構成されていると特に有利である。特に好ましくはエコー信号の振幅値がカラーコード化して表示される。これは特に、測定結果の二次元表示を可能とするＢスキャンで行うことができる。
【００１４】
本発明に係るタービン部品の欠陥検出方法および本発明に係るこのような欠陥を検出するための測定および評価装置の１実施例が、以下において、添付した略図面に基づいて詳しく説明される。
【００１５】
図１には、タービンの図示しないタービン軸もしくはホイールディスクに取付けるように意図されているタービン翼１０が示されている。このようなタービン翼１０はタービン運転時に高い熱負荷を受け、機械負荷も受ける。
【００１６】
タービン翼１０は差込み根元部として構成された翼根元部１２を有し、この翼根元部１２はディスク状条帯を備え、このディスク状条帯に固定穴１４が設けられている。前記負荷のゆえに特に固定穴１４に亀裂が生じることがある。
【００１７】
タービン翼１０のこのような損傷の確実な試験は、現在、タービン翼１０の分解状態時にのみ可能である。組込状態における超音波技術による試験は限定的にのみ可能であり、比較的誤りを孕んでいる。
【００１８】
検査を改善するために、フェーズドアレイ技術のフェーズドアレイ検査ヘッドが使用され、この検査ヘッドはタービン翼１０および／または付属する軸に固定配置される。この配置は、例えば図５に円で示したような被検査面領域を超音波照射できるように行われる。その際、検査ヘッドの操作は必要ない。
【００１９】
その際に使用され図３に略示した測定および評価装置１６は、そのフェーズドアレイ検査ヘッド１８が３つの仮想検査ヘッド２０，２２，２４に区分されるように調整されている。
【００２０】
これらの仮想検査ヘッド２０，２２，２４のうち第１検査ヘッドは、合計６４個の素子のうち素子１〜２４を含むフェーズドアレイ検査ヘッド１８を含む。同様に、第２仮想検査ヘッド２２はフェーズドアレイ検査ヘッドの素子２１〜４４を含み、第３仮想検査ヘッド２４は素子４１〜６４を含む。
【００２１】
個々の仮想検査ヘッドは、詳しくは図示しない制御装置によって、次のように、すなわち、個々の仮想検査ヘッド２０，２２，２４を用いてそれぞれ個々の超音波照射（ショット）、この例では約２００回の超音波照射が直線振動子によって被検査面領域にわたって向きを変えて送出され、引き続きエコー信号が受信されるように制御される。
【００２２】
次に、仮想検査ヘッドのすべての超音波照射のエコー信号がＢスキャンで表示され、二次元表示で画像化法を提供する。表示においてエコー信号はその振幅値に関してカラーコード化して表示される。この表示は図４に示すＢスキャングラフと相応に付属するＡスキャングラフとで再生される。各仮想検査ヘッドについて固有のＢスキャングラフが表示される。
【００２３】
これにより、さまざまな仮想検査ヘッドによって（図５に例示的に円で印を付けたような）欠陥予想領域がさまざまな視角から走査される。さまざまな角度からのこの走査によって、欠陥もしくは欠陥の方位を検出することが可能になる。
【００２４】
例えば図４の３つのＢスキャングラフに認めることができるように、そこに円で印を付けた亀裂欠陥は特に第２仮想検査ヘッド２２もしくは第３仮想検査ヘッド２４で検査するとき明確に認識されるのに対して、第１仮想検査ヘッドでは気付かれないままとなる。これは亀裂欠陥の寸法、正確な形状について、特に方向についても、相応に改善された逆推論を可能とする。
【００２５】
こうして全体として、特に上述した部品の欠陥寸法、欠陥位置および欠陥方位の決定を改善された迅速かつ確実な試験が可能となる。
【００２６】
さらに、本発明に係る方法および付属する測定および評価装置は、フェーズドアレイ検査ヘッドを使った従来の超音波探欠陥試験ではなお問題が現れた数多くの別の種類の部材においても有利に利用することができる。
【図面の簡単な説明】
【００２７】
【図１】本発明により試験される部材の第１斜視図
【図２】図１による部材の第２斜視図
【図３】本発明に係る測定および評価装置の構造を説明する３つの原理図
【図４】図３による測定および評価装置で試験した測定結果のグラフ
【図５】図１、図２による部材の検査された面領域を示す図。
【符号の説明】
【００２８】
１０  部品、タービン翼
１２  部品、翼根元部
１４  固定穴
１６  測定および評価装置
１８  フェーズドアレイ検査ヘッド
２０，２２，２４  仮想検査ヘッド
２１〜４４、４１〜６４  素子
【図１】
2008528982.tif 000003
【図２】
2008528982.tif 000004
【図３】
2008528982.tif 000005
【図４】
2008528982.tif 000006
【図５】
2008528982.tif 000007
【国際調査報告】
2008528982.tif 000008
2008528982.tif 000009
2008528982.tif 000010
2008528982.tif 000011
2008528982.tif 000012